(57)【要約】【課題】  不要なケーブルを完成時のＰＣ箱桁断面内に残置せず、且つ、短期間の使用のみで廃棄処分となるＰＣ鋼材を減らし、なお且つ、押出し架設時のＰＣ箱桁の重量を軽減することで、施工性及び経済性に優れたＰＣ箱桁押出し架設工法を提案する。【解決手段】  内空間を有する箱桁部材を、箱桁部材の部材断面内に配設される内鋼材と箱桁部材の部材断面外に配設される外鋼材とにより箱桁部材の上下の圧縮応力が略等しくなるように緊張力を負荷して、少なくとも２個以上一体化してＰＣ箱桁１０とするＰＣ箱桁構築工程と、橋台後方からＰＣ箱桁構築工程により構築されたＰＣ箱桁１０を前方に押出すＰＣ箱桁押出し工程と、中間支点３上における箱桁部材の内空部の一部を閉塞して横桁部を構築する横桁部打設工程を含む、ＰＣ箱桁押出し架設工法。【選択図】      図２
2005264533.tif 000002
【特許請求の範囲】
【請求項１】
左右に立設されたウェブ部材と当該両ウェブ部材の上下端に横設されたフランジ部材により内空間を有する箱型に形成された箱桁部材を、前記箱桁部材の部材断面内に配設される内鋼材と前記箱桁部材の部材断面外に配設される外鋼材とにより前記箱桁部材の上下の圧縮応力が略等しくなるように緊張力を負荷して、少なくとも２個以上一体化してＰＣ箱桁とするＰＣ箱桁構築工程と、
支点後方から前記ＰＣ箱桁構築工程により構築された前記ＰＣ箱桁を前方に押出すＰＣ箱桁押出し工程と、
を少なくとも１回行うことにより前記ＰＣ箱桁を両端部の支点の間に架橋して橋梁を構築するＰＣ箱桁押出し架設工法であって、
前記ＰＣ箱桁は前記両端部の支点及び前記両端部の支点の間に配置される中間支点により支持されており、前記中間支点上における内空部の一部を閉塞して横桁部を構築する横桁部打設工程を含むことを特徴とする、ＰＣ箱桁押出し架設工法。
【請求項２】
前記ＰＣ箱桁の架橋後に、前記ＰＣ箱桁に作用する曲げモーメントに対して効果的な位置に、前記外鋼材の一部又は全ての配置を変更する外鋼材再配置工程を含むことを特徴とする、請求項１に記載のＰＣ箱桁押出し架設工法。
【請求項３】
前記外鋼材が、押出し架設中は仮設定着部材により定着されていることを特徴とする、請求項１又は請求項２に記載のＰＣ箱桁押出し架設工法。
【発明の詳細な説明】
【技術分野】
【０００１】
本発明は、ＰＣ箱桁橋の押出し架設工法に関する。
【背景技術】
【０００２】
押出し架設工法は、ＰＣ箱桁などのプレキャスト部材を、橋台後方から順次前方に推進させて架橋することにより、橋梁を構築する工法であり、施工期間の短縮、架設コストの縮減などのメリットを有している。そのため、押出し架設工法をより合理的に行えるように、ＰＣ箱桁やその施工方法などの開発が多数なされている。例えば特許文献１には、コンクリートフランジと波形鋼板ウェブとを備えたプレテンション方式のプレキャストプレストレストコンクリート桁を使用した複合ＰＣ橋の押出し架設工法について記載されている。また、特許文献２には、ＰＣ箱桁断面内にＰＣ鋼材を残すことがないように、押出し架設時にＰＣ鋼材をＰＣ箱桁の断面外に配設して緊張力を加えるいわゆる外ケーブル方式によるＰＣ箱桁の施工方法について記載されている。
【０００３】
このように、ＰＣ箱桁橋を押出し架設する場合、橋軸方向に配置されるＰＣ鋼材としては、コンクリート部材内に埋め込まれる内鋼材（ケーブル又は鋼棒）と、部材の外部に配置される外ケーブルとがある。
【０００４】
押出し架設時におけるＰＣ鋼材は、一般的にはコンクリート部材に発生する引張応力を打ち消すように配置するため、プレストレスによる桁断面の上下縁の圧縮応力が略等しくなるように、断面の上下に均等に配置される。
【０００５】
一方、供用後のＰＣ鋼材は、これらの桁に死荷重や活荷重による、中間支点付近で上床版側の応力が引張となる負の曲げモーメント、支間中央付近での下床版側の応力が引張となる正の曲げモーメントに抵抗する。したがって、供用後のＰＣ鋼材の望ましい配置は、中間支点付近で上床版側、支間中央付近で下床版側となる。
【特許文献１】特開２００４−０１９１２６号公報（［０００８］−［００１６］、図１−図６）
【特許文献２】特開２００１−２１４４１４号公報（［０００９］−［００６６］、図１−図１０）
【発明の開示】
【発明が解決しようとする課題】
【０００６】
しかしながら、ＰＣ箱桁の部材内に配置される内鋼材は、押出し架設完了後の緊張力開放や撤去が煩雑なため、完成後も部材内に残されるのが一般的である。そのため、上床版側の内鋼材はそのプレストレス力により下床版に引張応力を発生させる場合があり、その結果支間中央付近の断面では、死荷重、活荷重等により作用する曲げモーメントによる引張応力と当該プレストレス力による引張応力とが重なり、ＰＣ箱桁に悪影響を及ぼすことがある。同様に、下床版側の内鋼材も中間支点付近でＰＣ箱桁に悪影響を及ぼすことがあるため、支間中央付近には下床版側に、中間支点付近では上床版側に新たなＰＣ鋼材等を配置する場合があり、施工が煩雑な上、鋼材量も増加し不経済となるという問題点を有している。
【０００７】
また、外ケーブルを使用する場合は、押出し架設完了後に残す併用外ケーブルは前記の通り、中間支点付近で上床版側、支間中央付近で下床版側に配置し、押出し架設完了後に撤去する仮設ケーブルはその反対に、中間支点付近で下床版側、支間中央付近で上床版側に配置する。つまり、併用外ケーブルと仮設外ケーブルとを、中間支点と支間中央付近との間で交差するように配置し、押出し架設中の正負の曲げモーメントに対処する。そのため、限られたＰＣ箱桁の断面内において、これらのケーブルを所定の位置に配設する作業が煩雑であるという問題を有している。また、仮設外ケーブルは、押出し架設中にくさびによる傷がつくため再利用するには品質上問題があることや、ケーブルの緊張力を開放し巻き取った後、移動して再度所定の位置に運搬する作業は煩雑であることなどから、押出し架設後は廃棄処分される。そのため、高価なＰＣ鋼材を短期間の使用のみで廃棄することとなり、不経済となるという問題点を有している。
【０００８】
さらに、押出し架設に用いられるＰＣ箱桁は、一般に横桁と主桁とを一体に製作した比較的大きくて厚い断面を有する部材も含むため、押出し架設時の桁自重が大きくなる。このため、桁自重による曲げモーメントに対処するためのＰＣ鋼材を増加する必要があり、不経済となる場合があるという問題点を有している。
【０００９】
本発明は、前記の問題点を解決することを目的とするものであり、不要なケーブルを完成後のＰＣ箱桁断面内に残置せず、且つ、短期間の使用のみで廃棄処分となるＰＣ鋼材を減らし、なお且つ、押出し架設時のＰＣ箱桁の重量を軽減することで、施工性及び経済性に優れたＰＣ箱桁押出し架設工法を提案することを課題とする。
【課題を解決するための手段】
【００１０】
前記課題を解決するために、請求項１に記載の発明は、左右に立設されたウェブ部材と当該両ウェブ部材の上下端に横設されたフランジ部材により内空間を有する箱型に形成された箱桁部材を、前記箱桁部材の部材断面内に配設される内鋼材と前記箱桁部材の部材断面外に配設される外鋼材とにより前記箱桁部材の上下の圧縮応力が略等しくなるように緊張力を負荷して、少なくとも２個以上一体化してＰＣ箱桁とするＰＣ箱桁構築工程と、支点後方から前記ＰＣ箱桁構築工程により構築された前記ＰＣ箱桁を前方に押出すＰＣ箱桁押出し工程と、を少なくとも１回行うことにより前記ＰＣ箱桁を両端部の支点の間に架橋して橋梁を構築するＰＣ箱桁押出し架設工法であって、前記ＰＣ箱桁は前記両端部の支点及び前記両端部の支点の間に配置される中間支点により支持されており、前記中間支点上における内空部の一部を閉塞して横桁部を構築する横桁部打設工程を含むことを特徴としている。
【００１１】
かかるＰＣ箱桁押出し架設工法は、横桁部がＰＣ箱桁の架橋後に打設されるため、ＰＣ箱桁押出し工程においては比較的軽量であり、従来、比較的重いＰＣ箱桁を押出し架設する際に桁自重により発生する曲げモーメントに対応するためのみに必要とされたＰＣ鋼材を縮減することが可能となる。また、当該ＰＣ箱桁は、ＰＣ箱桁構築時及びＰＣ箱桁押出し架設時には横桁部により遮断されることなく連続した内空間を有しているため、ＰＣ箱桁内の内空間に配設される外鋼材の配置、配置換え又は撤去を容易に行うことが可能となり施工性が向上する。
【００１２】
また、請求項２に記載の発明は、請求項１に記載のＰＣ箱桁押出し架設工法であって、前記ＰＣ箱桁の架橋後に、前記ＰＣ箱桁に作用する曲げモーメントに対して効果的な位置に、前記外鋼材の一部又は全ての配置を変更する外鋼材再配置工程を含むことを特徴としている。
【００１３】
かかるＰＣ箱桁押出し架設工法は、所定の外鋼材の配置を変更することにより、押出し架設時と押出し架設完了後とにおける、ＰＣ箱桁に加わる各応力の変化に対応して、効果的なＰＣ鋼材の配置が可能となるため、短期間の使用のみで廃棄処分されるＰＣ鋼材量を削減することにより、資源の無駄を省くとともに材料費の削減が可能となる。
ここで、効果的な位置とは、ＰＣ箱桁に作用する曲げモーメントに抵抗できる位置をいい、例えば、橋梁が下向きに凸となる向きに曲げモーメントが作用する場合は、ＰＣ箱桁の下側にＰＣ鋼材を配設して上向きに凸となる抵抗モーメントを発現させて、反対に橋梁が上向きに凸となる向きに曲げモーメントが作用する場合は、ＰＣ箱桁の上側にＰＣ鋼材を配設して下向きに凸となる抵抗モーメントを発現させる。
【００１４】
また、請求項３に記載の発明は、請求項１又は請求項２に記載のＰＣ箱桁押出し架設工法であって、前記外鋼材が、押出し架設中は仮設定着部材により定着されていることを特徴としている。
【００１５】
かかるＰＣ箱桁押出し架設工法は、外鋼材が押出し架設時には仮設定着部材を利用して完成時の外鋼材の定着位置と異なる位置で定着されるため、押出し架設時にくさびにより傷ついた箇所を使用することなく、押出し架設後に当該外鋼材を配置換えして再利用することが可能となる。
ここで、外鋼材が保護材により被覆されていれば、押出し架設中から完成以降の防錆が図れるため好適である。
【発明の効果】
【００１６】
本発明のＰＣ箱桁押出し工法により、施工性と経済性に優れたＰＣ箱桁橋の構築が可能となる。
【発明を実施するための最良の形態】
【００１７】
本発明の好適な実施の形態について、図面を参照して説明する。なお、説明において、同一要素には同一の符号を用い、重複する説明は省略する。
【００１８】
図１は本発明のＰＣ箱桁押出し架設工法により構築される橋梁１（ＰＣ箱桁橋）の概略を示す側面図であり、図２は図１に示す橋梁１のＰＣ箱桁１０の１支間を示す側面図であり、（ａ）は押出し架設時、（ｂ）は外鋼材再配置後を示している。また、図３は、図２（ａ）に示すＰＣ箱桁１０を構成する箱桁部材２０の断面図を示しており、（ａ）はＡ−Ａ断面、（ｂ）はＢ−Ｂ断面、（ｃ）はＣ−Ｃ断面を示している。
【００１９】
図１に示すように、本実施の形態では、両端に構築された橋台（支点）２と、両橋台２の間に２箇所構築された橋脚（中間支点）３とにより支持された橋梁１について説明する。
橋梁１は、橋台２と橋脚３又は両橋脚３の間に対応する３支間に３体のＰＣ箱桁１０を構築し、これらを連続して架橋することにより構築される。
【００２０】
図２（ａ）は、図１に示した橋梁１の３支間のうち、中央の両橋脚３，３間の支間に架橋されるＰＣ箱桁１０を示した図であり、両橋脚３，３の間に略等間隔で中間隔壁２６を２箇所有している。以下、ＰＣ箱桁１０の両橋脚３，３上方部分を支点箱桁部２０ａ、中間隔壁２６が配設された部分を中間隔壁部２０ｂと称する。
【００２１】
ＰＣ箱桁１０の内空間には、支点箱桁部２０ａおいては上部に配置され、中間隔壁部２０ｂにおいては下部に配置されるように直線状に折れ曲った併用外鋼材４１と、支間全延長を通して内空間上部に配置された上部架設外鋼材４２と、支間全延長を通して内空間下部に配置された下部架設外鋼材４３とが配置されている。また、当該ＰＣ箱桁１０の部材断面内には、所定の位置に図示しない内鋼材が配置されている。
【００２２】
本実施の形態のＰＣ箱桁１０は、図３（ａ）に示す内空間２４が開放された一般部の断面と、図３（ｂ）に示す橋脚３の上部で内空間２４に横桁部を構築する断面と、図３（ｃ）に示す内空間２４に中間隔壁２６を構築する断面との、異なる３種類の断面形状がそれぞれＰＣ箱桁１０の位置に応じて構築されている。
【００２３】
図３（ａ）に示すように、ＰＣ箱桁１０は、左右のウェブ部材２１，２１と当該左右のウェブ部材２１，２１の上下端に横設されたフランジ部材２２，２３とから、内空間２４を有した箱型に形成されたプレキャスト部材である箱桁部材２０を複数の内鋼材と外鋼材との緊張力により一体化したものである。なお、上フランジ部材２２は、下フランジ部材２３よりも長く、その両端が左右のウェブ部材２１，２１から突出している。
箱桁部材２０の上フランジ部材２２には、内鋼材を挿入するための挿通孔（以下「上内鋼材孔」という）３１が１２箇所設けられており、下フランジ部材２３には内鋼材を挿入するための挿通孔（以下「下内鋼材孔」という）３２が８箇所設けられている。
【００２４】
支点箱桁部２０ａの断面は、図３（ｂ）に示すように、内空間２４の上部を封鎖するように設けられた上部横壁２５ａと、上部横壁２５ａの下に立設する２枚の縦壁２５ｂ，２５ｂにより、中央の検査路２４ａと左右の横桁用空間２４ｂ，２４ｂの３室に区分されている。
左右の横桁用空間２４ｂ，２４ｂの底部には、それぞれ外鋼材を配置するための凹凸状の切り欠き３３が４箇所ずつ設けられている。また、上部横壁２５ａの左右の横桁用空間２４ｂ，２４ｂの上方付近には、それぞれ外鋼材を配置するための上外鋼材孔３４が下段３４ａと上段３４ｂに分かれて４箇所ずつ設けられている。
【００２５】
図２（ａ）及び図３（ｃ）に示すように、中間隔壁２６は、箱桁部材２０ｂの内空間２４に設けられ、基部２６ａと壁部２６ｂとを有し、側方断面が逆Ｔ字形状を示している。
また、中間隔壁２６は、中央に左右のウェブ部材２１の間隔の略１／３幅の空間２６ｃを有しており、当該空間２６ｃの上下角部に外鋼材配置用の切り欠き３５を有している。また、中間隔壁２６の基部２６ａには、下外鋼材孔３６が左右に３箇所ずつ所定の間隔で設けられている。
【００２６】
以下、本発明に係るＰＣ箱桁押出し架設工法の作業手順について記載する。
図４は、本実施の形態に係るＰＣ箱桁押出し架設工法の作業手順を示すフローチャートであり、ＰＣ箱桁構築工程Ｓ１とＰＣ箱桁押出し工程Ｓ２と外鋼材再配置工程Ｓ３と横桁部打設工程Ｓ４とからなる。
また、図５は、ＰＣ箱桁２０の押出し架設時の外鋼材の配置状況と完成時の外鋼材の配置状況をそれぞれ左右に並べて示した断面図であり、（ａ）は図２のＢ−Ｂ断面、（ｂ）は図２のＣ−Ｃ断面を示している。
さらに、図６は、押出し架設時と完成時とのくさび定着位置を示した詳細図である。
【００２７】
［ＰＣ箱桁構築工程］
ＰＣ箱桁構築工程Ｓ１では、プレキャスト部材である複数の箱桁部材２０を、箱桁部材２０の内外に複数の鋼材を配設して緊張させることにより一体化してＰＣ箱桁１０を構築する。
まず、内鋼材４０を、ＰＣ箱桁１０の１支間を通じて、上内鋼材孔３１と下内鋼材孔３２にそれぞれ挿入して（図５（ａ）左断面，図５（ｂ）左断面参照）、各外鋼材４１，４２，４３を、切り欠き３３、３５及び上外鋼材孔３４、下外鋼材孔３６に配設して、全鋼材に緊張力を加えることにより、１支間に必要な個数の箱桁部材２０を接合する。
このとき、１支間のＰＣ箱桁１０の両端は、支点箱桁部２０ａとなっている。
【００２８】
ここで、当該ＰＣ箱桁橋の架設時、完了後を通して配置が固定される、併用外鋼材４１の両端は、支点箱桁部２０ａにおいて上外鋼材孔３４に挿入して横桁２５に配置された支圧板を用いて定着する。そして、中間隔壁部２０ｂでは、中間隔壁２６の基部２６ａに設けられた下外鋼材孔３６に挿入する。
【００２９】
また、上外鋼材４２は、ＰＣ箱桁１０の１支間全長を通して箱桁部材２０の内空間２４の上部に配設する。つまり、中間隔壁部２０ｂでは、箱桁部材２０ｂの空間２６ｃの上の角に設けられた切り欠き３５に配設して、支点箱桁部２０ａでは、上部横壁２５ａに設けられた上外鋼材孔３４に挿入する。なお、上外鋼材４２は、支点箱桁部２０ａにおいて仮設ブラケット５０により固定する。
【００３０】
また、下外鋼材４３は、上外鋼材４２と反対に、ＰＣ箱桁１０の１支間全長を通して箱桁部材２０の内空間２４の下部に配設する。つまり、中間隔壁部２０ｂでは、中間隔壁２６の基部２６ａに設けられた下外鋼材孔３６に挿入して、支点箱桁部２０ａでは、左右の横桁用空間２４ｂ，２４ｂの底部に設けられた切り欠き３３に配設する。なお、下外鋼材４３も、上外鋼材４２と同様に支点箱桁部２０ａにおいて仮設ブラケット５０により固定する。
【００３１】
［ＰＣ箱桁押出し工程］
ＰＣ箱桁押出し工程Ｓ２では、ＰＣ箱桁構築工程Ｓ１において、一体に構成されたＰＣ箱桁１０を橋台後方から押出すことにより、各支点間に、ＰＣ箱桁１０の架橋を行う。
【００３２】
そして、ＰＣ箱桁構築工程Ｓ１とＰＣ箱桁押出し工程Ｓ２を繰り返し行い、３支間のＰＣ箱桁１０を連続させることにより、所望の延長の橋梁を架橋する（図１参照）。ここで、ＰＣ箱桁１０の接続は、隣合うＰＣ箱桁１０，１０が、支点箱桁部２０ａの４つの切り欠き３３ａ，３３ｂ，３３ｃ，３３ｄ及び上外鋼材孔３４の下段３４ａと上段３４ｂ（図３（ｂ）参照）とを使い分けて、同一の支点箱桁部２０ａを使用することにより一体化する。
【００３３】
［外鋼材再配置工程］
外鋼材再配置工程Ｓ３では、ＰＣ箱桁構築工程Ｓ１及びＰＣ箱桁押出し工程Ｓ２により、ＰＣ箱桁１０の架橋が完了したら、各箱桁部材２０の内空間２４に配設された上外鋼材４２と下外鋼材４３の緊張力をそれぞれ一旦開放し、その配置換えを行う。
【００３４】
つまり、支点箱桁部２０ａにおいては、図５（ａ）左断面に示すように、押出し架設時に横桁用空間２４ｂ，２４ｂの底部の切り欠き３３に配設されていた下外鋼材４３を、図５（ａ）右断面に示すように、上外鋼材孔３４に移動する。また、中間隔壁部２０ｂにおいては、図５（ｂ）左断面に示すように、空間２６ｃの上側の切り欠き３５に配設されていた上外鋼材４２を、図５（ｂ）右断面に示すように、下側の切り欠き３５に移設する。
【００３５】
この上外鋼材４２及び下外鋼材４３の配置換えは、ＰＣ箱桁１０の架橋後に作用する曲げモーメントに対して効果的な配置となるように行われ、図２（ｂ）に示すように、上外鋼材４２及び下外鋼材４３が、併用外鋼材４１と同様に、支点箱桁部２０ａでは上部に配設され、中間隔壁部２０ｂでは下部に配設される構成となる。
【００３６】
ここで、各外鋼材４１，４２，４３は、一旦緊張力が開放された際に、仮設ブラケット５０から取り外して、図６に示すように、切断位置Ａにおいて切断することにより、仮設ブラケット５０による押出し時くさび定着位置Ｘを使用することなく、新たな、くさびによる傷のない位置を完成時くさび定着位置Ｙとして、緊張力Ｐを加える。
【００３７】
［横桁部打設工程］
横桁部打設工程Ｓ４では、外鋼材再配置工程Ｓ３において、上外鋼材４２及び下外鋼材４３の再配置を行い、緊張力を加えたら、図５（ａ）右断面に示すように、支点箱桁部２０ａの横桁用空間２４ｂ，２４ｂにコンクリートを打設して中壁２５ｃを構築し、上部横壁２５ａ及び縦壁２５ｂと一体の横桁部２５を構築する。また、中間隔壁部２０ｂにおいても、図５（ｂ）に示すように、空間２６ｃの底部に底部コンクリート２６ｄを打設して、空間２６ｃの底部が中間隔壁２６の基部２６ａと同じ高さとなるようにする。このとき、必要に応じて予備鋼材孔を設けておいても良い。
【００３８】
次に、本発明のＰＣ箱桁押出し架設工法による作用及び効果について記載する。
本実施の形態では、押出し架設時に、支点箱桁部２０ａの横桁用空間２４ｂ，２４ｂを開放しておくことにより、支点箱桁部２０ａの軽量化が可能となり、当該横桁用空間２４ｂ，２４ｂに横桁部２５が構築されているために重量が重い従来の施工方法に比べて、押出し架設に要する緊張力の低減が可能となるため、内鋼材又は外鋼材の鋼材量を減らすことが可能となる。
【００３９】
また、切り欠き３３に配設された下外鋼材４３の再配置も、切り欠き３３から上方にずらすのみで取り外し、上外鋼材孔３４に挿入して固定することで完了するため、全延長に亘って一旦鋼材を取り外した後巻上げて、配置し直すような煩雑な作業を要することなく、作業を完了することが可能となる。
【００４０】
また、中間隔壁部２０ｂの上外鋼材４２の再配置は、空間２６ｃ内において、上側の切り欠き３５から下側の切り欠き３５に移動するのみのため、外鋼材を一旦巻き取った後配置しなおす必要がなく、容易に上外鋼材４２の再配置作業が完了する。
【００４１】
そして、中間隔壁部２０ｂの外鋼材の移設が完了したら、空間２６ｃに底部コンクリート２６ｄを打設することにより、下側の切り欠き３５に配設された外鋼材の横断方向のずれを抑止することが可能となる。
【００４２】
また、押出し架設時の各外鋼材４１，４２，４３の固定は、支点箱桁部２０ａにおいて、仮設ブラケット５０を利用して行うため、完成時における各外鋼材よりも長い位置で各外鋼材４１，４２，４３を固定するため、押出し架設後は、仮設ブラケット５０と取り外して当該固定箇所は使用しないため、くさびが噛んだことにより傷ついた部分は使用せず、所定の鋼材の強度を維持したまま、再利用することが可能となる。
【００４３】
また、隣接するＰＣ箱桁１０，１０から延設する下外鋼材４３の支点箱桁部２０ａにおける配置について、切り欠き３３を利用して互い違いに配置する構成としたことにより、支点箱桁部２０ａに均等に負荷が加わるため、局部的な引張力が発生することなく特別な補強を必要としない。
同様に、併用外鋼材４１及び上外鋼材４２についても、横桁部２５に均等に負荷が加わるように配置された上外鋼材孔３４を利用して、配置するため、局部的な引張力が発生することなく特別な補強を必要としない構成が可能となる。
【００４４】
したがって、本発明のＰＣ箱桁押出し架設工法により、押出し架設時には上下の圧縮応力が均等になるように各外鋼材４１，４２，４３を配置し、押出し架設後は当該外鋼材の配置を変更することにより再利用して死荷重や活荷重による曲げモーメントに対応するため、高価なＰＣ鋼材（外鋼材）の無駄を省き、容易な作業により、鋼材量の低減、作業日数の低減が可能となり、架橋工事に要するコストを大幅に縮減することが可能となる。
【００４５】
以上、本発明について、好適な実施の形態の例を説明したが、本発明は前記実施形態に限られず、本発明の趣旨を逸脱しない範囲で適宜設計変更が可能である。
例えば、前記の実施の形態では、ＰＣ箱桁の内空間にのみ外鋼材を配置するものとしたが、必要に応じてＰＣ箱桁上方に外鋼材を配置して緊張力を加える構成としてもよく、外鋼材の配置は適宜設定するものとする。
【００４６】
また、前記の実施の形態では、中間隔壁が予め打設された箱桁部材を使用するものとしたが、これに限定されるものではなく、支点部における横桁部と同様に、押出し架設後に中間隔壁を形成する構成としても良い。
【００４７】
また、内鋼材、外鋼材の本数、規格などは、橋梁の規模、状況に応じて適宜設定するものとし、前記の実施の形態に記載されたものに限定されるものではないことはいうまでもない。
また、前記の実施の形態では、支点箱桁部に設けられる上外鋼材孔の数を合計で１６としたが、これに限定されるものではなく、適宜、その数量を決定するものとする。同様に各切り欠き、下外鋼材孔、内鋼材孔の数も限定されるものではなく、適宜その数を決定する。
【００４８】
また、前記の実施の形態では、内鋼材と内空間に配設された外鋼材とにより緊張力を加えるものとしたが、これに限定されるものではなく、例えばＰＣ箱桁上方の路面上に、仮設ブラケットを固定した後外鋼材を配設する構成としてもよい。
また、前記の実施の形態において、隣り合うＰＣ箱桁の接合時に、併用外鋼材及び上外鋼材について上段と下段とに分けて使用するものとしたが、交互に配置する構成としてもよく、箱桁部材面内において圧縮力が均等に加わり曲げモーメントが発生しない構成であれば、その配置は限定されるものではない。
【図面の簡単な説明】
【００４９】
【図１】本発明のＰＣ箱桁押出し架設工法により構築されるＰＣ箱桁橋の概略を示す側面図である。
【図２】図１に示す橋梁のＰＣ箱桁の１支間を示す側面図であり、（ａ）は押出し架設時、（ｂ）は外鋼材再配置後を示している。
【図３】図２（ａ）に示すＰＣ箱桁を構成する箱桁部材の断面図を示しており、（ａ）はＡ−Ａ断面、（ｂ）はＢ−Ｂ断面、（ｃ）はＣ−Ｃ断面を示している。
【図４】ＰＣ箱桁押出し架設工法の作業手順を示すフローチャートである。
【図５】ＰＣ箱桁２０の押出し架設時の外鋼材の配置状況と外鋼材再配置後の外鋼材の配置状況をそれぞれ左右に並べて示した断面図であり、（ａ）は図２のＢ−Ｂ断面、（ｂ）は図２のＣ−Ｃ断面を示している。
【図６】押出し架設時と完成時とのくさび定着位置を示した詳細図である。
【符号の説明】
【００５０】
１      橋梁
２      橋台（支点）
３      橋脚（中間支点）
１０    ＰＣ箱桁
２０    箱桁部材
２１    ウェブ部材
２２    上フランジ部材
２３    下フランジ部材
２４    内空間
２５    横桁部
２６    中間隔壁
４０    内鋼材
４１    併用外鋼材
４２    上外鋼材
４３    下外鋼材
【図１】
2005264533.tif 000003
【図２】
2005264533.tif 000004
【図３】
2005264533.tif 000005
【図４】
2005264533.tif 000006
【図５】
2005264533.tif 000007
【図６】
2005264533.tif 000008